(57)【要約】      （修正有）【課題】洗濯物が乾き難い状況にあっても従来より短時間で洗濯物を乾かす事を行うベランダ取付用送風装置を提供する。【解決手段】ベランダの天井部に取り付け可能なベランダ取付用送風装置であって、隣接配置された複数の送風機１１０を送風可能に固定する収納枠体１３０と、送風機１１０が固定された収納枠体１３０をベランダの天井部に取り付けるための取付ステー１４０と、リモコン装置と、を備え、ベランダの天井部に取り付けられた送風機１１０の回転により、ベランダの天井部から下方に向けて送風する、ベランダ取付用送風装置である。これにより、洗濯物が乾き難い状況にあっても、自然の外気を利用し従来より短時間で洗濯物を乾かすことが出来るという効果を発揮する。また、ミストシャワー機能をオプションとして取り付けことでベランダ取付用ミストシャワー付き送風装置となり、地球温暖化防止対策にもつながる。【選択図】図１
2019017899.tif 000002
【特許請求の範囲】
【請求項１】
ベランダの天井部に取り付け可能なベランダ取付用送風装置であって、
単数の送風機、又は隣接配置された複数の送風機を送風可能に固定する送風機固定部材と、
前記送風機が固定された前記送風機固定部材を前記ベランダの天井部に取り付けるための取付ステーと、を備え、
前記ベランダの天井部に取り付けられた前記送風機の回転により、前記ベランダの天井部から下方に向けて送風する、ことを特徴とするベランダ取付用送風装置。
【請求項２】
前記送風機固定部材は、前記送風機を収納する枠体であり、
前記送風機固定部材は、前記ベランダの天井部から所定の間隔をあけて前記取付ステーにより取り付け可能であり、
前記取付ステーは複数個あり、互いに所定距離を隔てて配置されている、ことを特徴とする請求項１に記載のベランダ取付用送風装置。
【請求項３】
ミストシャワーを発生させるノズルを複数有する管状部材を備え、
前記管状部材は、前記送風機固定部材又は前記取付ステーの近傍に配置可能に構成されている、ことを特徴とする請求項１又は２に記載のベランダ取付用送風装置。
【発明の詳細な説明】
【技術分野】
【０００１】
本発明は、ベランダに設置可能なベランダ取付用送風装置、及びベランダ取付用ミストシャワー付き送風装置に関する。
【背景技術】
【０００２】
マンションに居住している場合、洗濯物を干す場所として、通常、ベランダが使用される。
【０００３】
また、マンションによっては、その管理規定等により、ベランダの天井に天吊り型の物干し金物が設けられておらず、高い所に洗濯物を干すことが禁止されている場合がある。
【０００４】
その様なマンションでは、ベランダの手すり壁の内側壁面からベランダの内側に向けて壁付型の物干し金物が設けられている場合が多い。
【発明の概要】
【発明が解決しようとする課題】
【０００５】
しかしながら、上記のような高い所に洗濯物を干すことが禁止されているマンションでは、通常、手すり壁に設けられた物干し金物を利用するか、或いは、ベランダの床面に市販の洗濯物干し具を置く等して洗濯物を干すが、洗濯物の横に手すり壁があるために、風通しが悪かったり、日当たりが悪くなるという状況により、洗濯物が乾き難いという問題がある。
【０００６】
本発明は、上記従来の課題に鑑みて、洗濯物が乾き難い状況にあっても従来より短時間で洗濯物を乾かすことが出来ることを目的とする。
【課題を解決するための手段】
【０００７】
第１の本発明は、ベランダの天井部に取り付け可能なベランダ取付用送風装置であって、
単数の送風機、又は隣接配置された複数の送風機を送風可能に固定する送風機固定部材と、
前記送風機が固定された前記送風機固定部材を前記ベランダの天井部に取り付けるための取付ステーと、を備え、
前記ベランダの天井部に取り付けられた前記送風機の回転により、前記ベランダの天井部から下方に向けて送風する、ことを特徴とするベランダ取付用送風装置である。
【０００８】
また、第２の本発明は、前記送風機固定部材は、前記送風機を収納する枠体であり、
前記送風機固定部材は、前記ベランダの天井部から所定の間隔をあけて前記取付ステーにより取り付け可能であり、
前記取付ステーは複数個あり、互いに所定距離を隔てて配置されている、ことを特徴とする上記第１の本発明のベランダ取付用送風装置である。
【０００９】
また、第３の本発明は、ミストシャワーを発生させるノズルを複数有する管状部材を備え、
前記管状部材は、前記送風機固定部材又は前記取付ステーの近傍に配置可能に構成されている、ことを特徴とする上記第１又は第２の本発明のベランダ取付用送風装置である。
【発明の効果】
【００１０】
本発明によれば、洗濯物が乾き難い状況にあっても従来より短時間で洗濯物を乾かすことが出来るという効果を発揮する。
【図面の簡単な説明】
【００１１】
【図１】（ａ）：実施の形態１のベランダ取付用送風装置の送風装置本体がマンションのベランダの天井部に固定されている状態を、マンションの部屋側から水平方向に見た場合の概略図、（ｂ）：図１（ａ）に示す送風装置本体をベランダの床面側から天井側を見た場合の概略図、（ｃ）：図１（ａ）に示す送風装置本体をベランダの床面側から天井面側を斜めに見上げた場合の概略斜視図
【図２】（ａ）：実施の形態２におけるマンションのベランダの概略側断面図であり、実施の形態１のベランダ取付用送風装置の送風装置本体がベランダの天井部に固定されており、且つリモコン装置が室内側の壁に設置されている状態を示す図、（ｂ）：実施の形態１の送風装置本体の運転をコントロールするためのリモコン装置を説明するための概略図
【図３】（ａ）：実施の形態２のミストシャワー付き送風装置本体をベランダの床面側から天井側を見た場合の概略図、（ｂ）：実施の形態２におけるマンションのベランダの概略側断面図であり、実施の形態２のベランダ取付用ミストシャワー付き送風装置のミストシャワー付き送風装置本体がベランダの天井部に固定されている状態を示す概略図
【図４】ベランダの掃き出し窓の直ぐ上の壁面からベランダ側に向けて高所物干し金物が設けられている場合において、ベランダ取付用送風装置の送風装置本体の取り付け場所を説明するベランダの概略側断面図
【発明を実施するための形態】
【００１２】
以下に、本発明のベランダ取付用送風装置の実施の形態について、図面を用いて説明する。
（実施の形態１）
本実施の形態のベランダ取付用送風装置１は、マンションのベランダの天井部に取り付ける送風装置本体１００と、送風装置本体１００の運転をコントロールするためのリモコン装置２００とを備えている。
【００１３】
図１（ａ）は、本実施の形態のベランダ取付用送風装置１の送風装置本体１００がマンションのベランダの天井部３１０に固定されている状態を、マンションの部屋側から水平方向に見た場合の概略図である。また、図１（ｂ）は、図１（ａ）に示す送風装置本体１００をベランダの床面側から天井側を見た場合の概略図である。また、図１（ｃ）は、図１（ａ）に示す送風装置本体１００をベランダの床面側から天井面側を斜めに見上げた場合の概略斜視図である。
【００１４】
図２（ａ）は、マンションのベランダ３００の概略側断面図であり、本実施の形態のベランダ取付用送風装置１の送風装置本体１００がベランダ３００の天井部３１０に固定されており、且つリモコン装置２００が室内側の壁に設置されている状態を示す図である。また、図２（ｂ）は、本実施の形態の送風装置本体１００の運転をコントロールするためのリモコン装置２００を説明するための概略図である。
【００１５】
本実施の形態のベランダ取付用送風装置１は、マンションの建設後において、ベランダ３００の天井部３１０等に後付けする後付けタイプの場合について説明するが、これに限定されるものでは無く、例えば、マンションの建設段階において、ベランダ３００の天井部３１０等に取り付けるタイプであっても良い。
【００１６】
また、本実施の形態では、図２（ａ）に示す様に、ベランダ３００の高い所に洗濯物を干すことが禁止されているマンションであって、ベランダ３００の床面３２０で手すり壁３３０の直ぐ横に市販の洗濯物干し具３４０を置いて洗濯物３５０を干すという状況において、送風装置本体１００が、天井部３１０の内、洗濯物３５０の概ね真上の位置に取り付けられているものとするが、これに限定されるものでは無く、例えば、手すり壁３３０の室内側、即ち掃き出し窓３６０側に面する壁面に設けられた物干し金物（図示省略）を利用して洗濯物３５０を干すという状況であっても良い。何れにしても、送風装置本体１００は、天井部３１０において、洗濯物３５０の概ね真上の位置に取り付けられることが好ましい。
【００１７】
まず、本実施の形態のベランダ取付用送風装置１の内、送風装置本体１００は、図１（ａ）〜図１（ｃ）に示す様に、
（１）それぞれ風量を３段階（強、中、弱）に変更可能な３つの送風機１１０と、
（２）深さが約１５ｃｍの略長方形状を成し、内側に送風機１１０を収納する収納枠体１３０であって、当該収納枠体１３０の上面側（ベランダの天井部３１０側に対応）に吸気用開口部１３１と、下面側に吹き出し用開口部１３２とを有し、送風機固定プレート１２０を介して３つの送風機１１０を隣接配置すると共に、隣接する送風機１１０の間には、それぞれの収納空間の分離と枠体の補強を兼ねた分離壁１３３が固定された収納枠体１３０と、
（３）３つの送風機１１０を隣接配置して送風可能に収納した収納枠体１３０を、吸気用開口部１３１と天井部３１０との間に所定の間隔Ｈ１をあけて、天井部３１０に取り付けるための８つの取付ステー１４０と、を備えている。
【００１８】
また、それぞれの送風機１１０は、回転数を３段階（強、中、弱）に変更可能に構成されたモータ１１１と、モータ１１１の回転シャフト部に取り付けられた直径が約３０ｃｍで４枚羽根の送風ファン１１２とにより構成されている。
【００１９】
また、モータ１１１の底面側にはモータ１１１の外径より直径の大きなフランジ部１１１ａが固定されており、送風機１１０は、略長方形状の送風機固定プレート１２０の中央部に対して、フランジ部１１１ａを介して締結部材（図示省略）により、吹き出し用開口部１３２側から着脱可能に固定されている。送風機固定プレート１２０は、収納枠体１３０の上端縁部１３０ａに固定されている。
【００２０】
これにより、送風機１１０が故障した場合、収納枠体１３０の吹き出し用開口部１３２側から、ドライバー等の工具を用いて、フランジ部１１１ａを送風機固定プレート１２０に固定している締結部材を緩めることにより、簡単に故障した送風機１１０だけを取り外して交換することが出来るのでメンテナンス性が良い。
【００２１】
また、３つのモータ１１１から出ている電線（図示省略）は、それぞれ送風機固定プレート１２０上を経由して、収納枠体１３０の角部に集められてハーネス１１３（図２（ａ）参照）として、ベランダ３００の天井部３１０に沿って固定されると共に、室内側とベランダ３００を隔てる外壁３７０に予め貫通配置されているクーラー用スリーブ３７１内を通り、室内側の壁面に取り付けられたリモコン装置２００内の回路基板（図示省略）のコネクタ（図示省略）に電気的に接続される構成である。
【００２２】
また、取付ステー１４０は、上端部１４１が天井部３１０に面する様に直角に曲げられていると共に、下端部１４２が収納枠体１３０の外側面部に固定された板状部材であって、直角に折り曲げられた上端部１４１には、予め貫通孔（図示省略）が形成されている。
【００２３】
これにより、送風装置本体１００をベランダ３００の天井部３１０に取り付ける場合、天井部３１０のコンクリート面にドリルで所定の穴をあけてアンカー（図示省略）を打ち込んで、取付ステー１４０の上端部１４１に形成された貫通孔を利用して、そのアンカーとナット１５０でしっかりと固定することが出来る。
【００２４】
なお、送風機固定プレート１２０、収納枠体１３０、及び取付ステー１４０は、軽量化を図るために、アルミ製部材を用いるのが好ましいが、これに限定されるものでは無く、例えば、繊維強化プラスチックを用いても良い。
【００２５】
また、洗濯物を掛けるハンガー３４１（図２（ａ）参照）の幅Ｗ２は、通常、約４０ｃｍであるため、本実施の形態の送風装置本体１００は、図１（ｂ）に示す様に、幅Ｗ１が約４０〜５０ｃｍ、長さＬ１が約１７０ｃｍに設定されているが、各部の寸法はこれに限定されるものではない。
【００２６】
なお、本実施の形態のベランダ取付用送風装置１は、本発明のベランダ取付用送風装置の一例にあたる。また、本実施の形態の収納枠体１３０は、本発明の送風機固定部材の一例にあたり、本実施の形態の送風機１１０は、本発明の送風機の一例にあたる。また、本実施の形態の取付ステー１４０は、本発明の取付ステーの一例にあたる。
【００２７】
次に、本実施の形態のベランダ取付用送風装置１の内、リモコン装置２００は、図２（ｂ）に示す様に、リモコンケース２１０の表面に、３つの送風機１１０の運転を同時に入り切りするための運転/停止ボタン２１１と、３つの送風機１１０の風量を同時に強・中・弱の３段階に切り替えるための風量切替ボタン２１２と、３つの送風機１１０の運転を自動的に切る時間を３時間と６時間の何れかに切り替えるための切りタイマー設定ボタン２１３とが、配置されている。また、リモコンケース２１０の表面において、各種ボタンの上方には、運転状況を示すディスプレイ２２０が配置されており、３つの送風機１１０が運転中のときは、送風ファン画像２２０ａが表示され、切りタイマーが設定されているときは、その設定時間に応じて、３時間のときは３Ｈが、また、６時間のときは６Ｈの設定時間表示２２０ｂが表示され、また、設定されている風量の大きさに応じて、３本の棒グラフ２２０ｃの内の何れか一つが表示される構成である。なお、図２（ｂ）では、説明の便宜のために、ディスプレイ２２０において表示可能な事項を全て示している。
【００２８】
また、リモコン装置２００は、図２（ａ）、図２（ｂ）に示す様に、リモコンケース２１０の左下端部から電源コード２３０が出ており、電源コード２３０の先端に設けられた電源プラグ２３１が、室内の壁面に設けられている電源コンセント３８０に差し込み可能に構成されている。
【００２９】
これにより、リモコンケース２１０内に収納されている回路基板（図示省略）に電源が供給される。
【００３０】
また、リモコン装置２００は、図２（ａ）、図２（ｂ）に示す様に、クーラー用スリーブ３７１内を通り、室外側から室内側に引き回されたハーネス１１３のコネクタ（図示省略）が、リモコンケース２１０内に収納されている回路基板（図示省略）上のコネクタ（図示省略）に電気的に接続される構成である。
【００３１】
これにより、ユーザーが上述した各種ボタンを操作した場合、その操作に対応する操作信号を回路基板上の制御部（図示省略）が処理して、その結果、ハーネス１１３を介して３つのモータ１１１の運転が制御される。即ち、制御部は、例えば、ユーザーによる運転/停止ボタン２１１の操作に応じて、３つのモータ１１１への電源供給の入り切りをし、また、風量切替ボタン２１２の操作により設定された風量に応じて、３つのモータ１１１の回転数を制御し、また、切りタイマー設定ボタン２１３の操作により設定された時間に応じて、３つのモータ１１１への電源供給を自動停止させるという制御をそれぞれ実行する。
【００３２】
上述した様に、本実施の形態では、制御部は、３つのモータ１１１に対して、常に同じ制御を行うものとする。
【００３３】
上述したことから明らかな様に、本実施の形態のベランダ取付用送風装置１を後付けで設置する場合、送風装置本体１００については、ベランダ３００の天井部３１０にアンカー（図示省略）を打ち込んで、そのアンカーとナット１５０により簡単に取り付けることが出来、また、リモコン装置２００については、ハーネス１１３を、クーラー用スリーブ３７１等を通過させることで簡単に室内の壁面に取り付けることが出来る。
【００３４】
また、本実施の形態のベランダ取付用送風装置１によれば、図２（ａ）に示す様に、送風装置本体１００の吹き出し用開口部１３２から、高い直進性を有する風が下方（図２（ａ）の矢印Ａ参照）に向けて送り出されるので、ベランダ３００の手すり壁３３０の内側に洗濯物３５０を干した場合であって、風通しや日当たりが悪い等の状況にあっても、上方から吹き付けてくる風が洗濯物３５０に直接当たると共に、壁や床面３２０で跳ね返った風が洗濯物３５０の下部に当たるので、従来に比べて短時間で効率的に洗濯物を乾かすことが出来る。
【００３５】
また、本実施の形態のベランダ取付用送風装置１によれば、梅雨時、雨降り時、冬場で日当たりが悪いベランダでも、洗濯物３５０の上方から風が吹き付けてくると共に、床面３２０等で跳ね返った風が洗濯物の下方から吹き付けるので、従来に比べて短時間で効率的に洗濯物を乾かすことが出来る。
【００３６】
また、ベランダ３００に干す洗濯物３５０の量や、その日の天候に応じて、リモコン装置２００の風量切替ボタン２１２や、切りタイマー設定ボタン２１３を操作して、風量や運転時間を適宜設定することで、無駄な運転を抑制出来る。
【００３７】
また、エアコンを使用して洗濯物を室内干しをしたり、或いは、衣類乾燥機で乾燥させたりする場合に比べて、電気代を節約することも可能である。
【００３８】
また、本実施の形態のベランダ取付用送風装置１によれば、自然の外気を利用しているので、衣類乾燥機を用いた場合における衣類の傷みの問題も生じない。
【００３９】
また、本実施の形態のベランダ取付用送風装置１によれば、ベランダ３００において外気を利用して、従来に比べて短時間で洗濯物を乾かすことが出来るので、室内干しを行った場合に洗濯物に付着するいやなニオイの問題やカビの繁殖の問題等も生じにくく、衛生面においても優れた効果を発揮する。
【００４０】
また、設置場所として、ベランダ３００の天井部３１０付近のもともと使用されていない空間を有効に利用することが出来、また、ベランダ３００の床面３２０に配置すべき部材も無いので、ベランダ３００の床面３２０が狭くなることも無い。
（実施の形態２）
本実施の形態では、上記実施の形態１で説明したベランダ取付用送風装置１に、ミストシャワー発生機能を追加したベランダ取付用ミストシャワー付き送風装置２について、図３（ａ）、図３（ｂ）を用いて説明する。
【００４１】
なお、本実施の形態のベランダ取付用ミストシャワー付き送風装置２は、水道の蛇口３９０等が設置されていて、水の供給が可能な水道蛇口付きベランダ３０１において、取り付けが可能である（図３（ｂ）参照）。
【００４２】
図３（ａ）は、ミストシャワー付き送風装置本体１０１をベランダの床面側から天井側を見た場合の概略図である。また、図３（ｂ）は、マンションのベランダの概略側断面図であり、本実施の形態のベランダ取付用ミストシャワー付き送風装置２のミストシャワー付き送風装置本体１０１がベランダの天井部３１０に固定されている状態を示す概略図である。
【００４３】
以下、本実施の形態では、上記実施の形態１で述べたベランダ取付用送風装置１との相違点を中心に説明する。
【００４４】
なお、上記実施の形態１で説明した構成と同じものには、同じ符号を付し、その説明を省略する。
【００４５】
本実施の形態のベランダ取付用ミストシャワー付き送風装置２の内、ミストシャワー付き送風装置本体１０１は、図３（ａ）〜図３（ｂ）に示す様に、
（１）実施の形態１で説明した送風装置本体１００と、
（２）収納枠体１３０の側面の内、室内側と反対側の側面に固定されている４つの取付ステー１４０の下端部１４２に対して、略Ｌ字状に曲げられた４つの固定板１６０を介して着脱可能に取り付けられたアルミ製のミストシャワーノズル付き配管１７０と、
（３）ミストシャワーノズル付き配管１７０の一方の端部に予め取り付けられたワンタッチカプラー１７１に対して、一端部が連結可能であって、且つ水道蛇口付きベランダ３０１に設けられた水道の蛇口３９０に取り付けられたワンタッチカプラー１７１に対して、他端部が連結可能なボム製のホース１８０と、を備えている。
【００４６】
また、ミストシャワーノズル付き配管１７０には、４つの固定板１６０の一端部１６１が概ね等間隔で位置ズレしない様にしっかりと固定されている。また、４つの固定板１６０の他端部１６２に予め設けられた貫通孔のそれぞれを、４つの取付ステー１４０の下端部１４２に予め設けられた下孔と位置合わせして、ねじ止めすることにより、ミストシャワーノズル付き配管１７０が、取付ステー１４０に対して着脱可能にしっかりと固定出来る構成である。
【００４７】
また、ミストシャワーノズル付き配管１７０には、ミストを発生させるミストシャワーノズル１７２が、ノズルの開口部が下向きになる様に取り付けられており、且つ、互いに略等間隔で合計７つ取り付けられているが、ミストシャワーノズル１７２の個数はこれに限定されるものではない。
【００４８】
また、ミストシャワーノズル付き配管１７０の配管本体はアルミ製であるとして説明したが、配管本体の材質はこれに限定されるものではない。また、ホース１８０はゴム製であるとして説明したが、これに限定されるものではない。
【００４９】
なお、本実施の形態のミストシャワー付き送風装置本体１０１は、図３（ｂ）に示す様に、掃き出し窓３６０から約１ｍ以上離れた天井部３１０に設置することで、室内や掃き出し窓３６０へのミストシャワーの飛散を防止し、且つ、ベランダの手すり壁３３０の外側から約５０ｃｍ以上内側に入った位置に、ミストシャワー付き送風装置本体１０１を設置することで、下の階のベランダへのミストシャワーの飛散を防止するものである。
【００５０】
なお、ミストシャワー付き送風装置本体１０１の取り付け位置に関するこれらの寸法はあくまで一例であって、これらの数値に限定されるものではない。
【００５１】
また、本実施の形態のベランダ取付用ミストシャワー付き送風装置２の内、リモコン装置２００は、実施の形態１で説明したものと同じである。
【００５２】
なお、本実施の形態のベランダ取付用ミストシャワー付き送風装置２は、本発明のベランダ取付用送風装置の一例にあたり、本実施の形態のミストシャワーノズル付き配管１７０は、本発明の管状部材の一例にあたる。
【００５３】
上述したことから明らかな様に、本実施の形態のベランダ取付用ミストシャワー付き送風装置２におけるミストシャワー機能は、実施の形態１で説明した送風装置本体１００に対して、ミストシャワーノズル付き配管１７０を後付け可能なオプションとして構成されているので、部品の大幅な共通化が図れる。
【００５４】
また、本実施の形態のベランダ取付用ミストシャワー付き送風装置２におけるミストシャワー機能を使用する場合、ユーザーは、リモコン装置２００の各種ボタンを操作して、３つの送風機１１０を同時に運転させると共に、水道の蛇口３９０のハンドルの開度を適宜調節して、例えばベランダの床面３２０が濡れない程度に、ミストシャワーノズル付き配管１７０に供給する水量を調節する。
【００５５】
これにより、ミストシャワーノズル１７２からミストシャワーが下向きに放出されると共に、その近傍に配置された３つの送風機１１０による下向きの送風（図３（ｂ）の矢印Ａ参照）に案内されて、ベランダの床面３２０に向けてミストシャワーのカーテンＢが形成される（図３（ｂ）参照）。
【００５６】
また、送風機１１０を運転することと合わせて、ミストシャワー機能を利用することにより、掃き出し窓３６０や室内側にミストシャワーが飛散してくることを確実に防止出来る。
【００５７】
この様に、夏場の日中の外気温の高いときに、ベランダの床面３２０に向けてミストシャワーのカーテンＢが形成されることで、気化熱により周囲の気温を２〜３℃程度低下させることが可能であり、ベランダの見た目も清涼感が漂い、癒し効果も生じる。これにより、例えば、エアコンを止めて、窓を開けてみようという気持ちにも繋がり、エコ対策にもなる。
【００５８】
また、ベランダ周辺の気温を２〜３℃程度低下させるという効果を、本実施の形態のベランダ取付用ミストシャワー付き送風装置２におけるミストシャワー機能を使用して実現させるために必要なエネルギーに比べて、仮に家庭用ルームエアコンを使用して同効果を実現させるために必要なエネルギーは、はるかに大きなものとなるので、ＣＯ2削減やヒートアイランド現象の対策にも効果がある。
【００５９】
また、本実施の形態のベランダ取付用ミストシャワー付き送風装置２におけるミストシャワー機能を使用する場合、ベランダの床面３２０を濡らすことが目的ではないので、ミストシャワーノズル１７２と床面３２０との距離は、３ｍ以上確保することが好ましいが、これに限定されるものではない。
【００６０】
なお、上記実施の形態では、マンションのベランダで洗濯物を高所に干すことが禁止されている等の理由で、ベランダの手すり壁３３０の内側に干すという状況に対応した位置に、送風装置本体１００やミストシャワー付き送風装置本体１０１を取り付けた場合について説明したが、これに限らず例えば、図４に示す様に、マンションの構造によっては、掃き出し窓３６０の直ぐ上の壁面からベランダ側に向けて高所物干し金物３４５が設けられている場合もあり、この場合にも、本発明は適用可能である。即ち、このような高所物干し金物付きベランダ３０２の場合、上述した送風装置本体１００を、天井部３１０の内、高所物干し金物３４５の真上にあたる部位に取り付ければ良い。図４は、掃き出し窓３６０の直ぐ上の壁面からベランダ側に向けて高所物干し金物３４５が設けられている場合において、ベランダ取付用送風装置１の送風装置本体１００の取り付け場所を説明するベランダの概略側断面図である。
【００６１】
また、図４に示す位置に送風装置本体１００を取り付ける場合、送風装置本体１００の吹き出し用開口部１３２と高所物干し金物３４５との距離は、概ね５０ｃｍ以上離すことが好ましいが、これに限定されるものではない。
【００６２】
また、上記実施の形態では、送風機１１０を３つ備えた構成について説明したが、これに限らず例えば、送風機１１０の数は、１つ、２つ、或いは４つ以上であっても良い。また、マンションのベランダの横幅に応じて、或いは、家族構成の大小による洗濯物の量に応じて、ユーザーが選択可能となる様に、搭載された送風機１１０の数を異ならせることで、送風装置本体１００の長さＬ１（図１（ｂ）参照）が異なるタイプを予め複数種類備えた構成としても良い。
【００６３】
また、上記実施の形態では、送風機１１０を３つ備えた構成に対応した長さのミストシャワーノズル付き配管１７０を備えた場合について説明したが、これに限らず例えば、搭載する送風機１１０の数が異なり、送風装置本体１００の長さＬ１が異なれば、オプションとして取り付けるミストシャワーノズル付き配管１７０の長さも、送風装置本体１００の異なる長さＬ１に対応させることは勿論のことである。
【００６４】
また、上記実施の形態では、上面と下面が開放された略直方体形状の収納枠体１３０の内側に３つの送風機１１０を隣接配置する構成について説明したが（図１（ａ）〜図１（ｃ）参照）、これに限らず例えば、１つの送風機１１０を１つのユニット収納枠体（図示省略）に収納したものを１つの単位としての送風機ユニット（図示省略）とし、この送風機ユニットを横方向に３つ並べ、これら３つ隣接配置された各ユニット収納枠体の両側の外壁面を、締結部材を用いて横方向に長い一対の長板（図示省略）に固定した構成としても良い。この構成の場合、上述した取付ステー１４０は、長板に固定すれば良いし、或いは、長板と取付ステー１４０を一体物として形成しても良い。また、隣接配置された各ユニット収納枠体を長板に固定するのではなく、例えば、隣接配置された各ユニット収納枠体の隣接壁面同士を締結部材により固定する構成としても良い。これにより、送風機ユニットを１単位とした増設、交換、メンテナンスが簡単に行える。
【００６５】
また、上記実施の形態では、制御部は、３つのモータ１１１に対して、常に同じ制御を行う場合について説明したが、これに限らず例えば、各モータ１１１に対して個別に制御出来る構成としても良い。
【００６６】
また、上記実施の形態では、ミストシャワーノズル付き配管１７０は、固定板１６０を介して取付ステー１４０に固定されている場合について説明したが、これに限らず例えば、収納枠体１３０に固定されていても良いし、或いは、収納枠体１３０又は取付ステー１４０の近傍であれば、マンションの天井部３１０に固定される構成であっても良い。
【００６７】
また、上記実施の形態では、収納枠体１３０の吸気用開口部１３１と吹き出し用開口部１３２には、収納枠体１３０の内部にごみや虫等の侵入を防止するための目の細かいネット状部材を装着していない構成について説明したが、これに限らず例えば、この様なネット状部材を収納枠体１３０の吸気用開口部１３１と吹き出し用開口部１３２に着脱可能な構成としても良い。
【００６８】
また、上記実施の形態では、リモコン装置２００を設けた場合について説明したが、これに限らず例えば、リモコン装置２００及びハーネス１１３に代えて、室内側の電源コンセント３８０（図２（ａ）参照）に差し込み可能に構成された電源プラグ２３１が一端部に接続された電源コード２３０の他端部を、クーラー用スリーブ３７１内を通して室外側のモータ１１１に接続する構成としても良い。また、この構成の場合、室内側の電源コード２３０の途中にＯＮ/ＯＦＦ切替スイッチ（図示省略）を設けても良い。
【００６９】
また、上記実施の形態では、ミストシャワー機能を使用するか否かは、ユーザーが水道の蛇口３９０のハンドルを開け閉めすることで行わる構成について説明したが、これに限らず例えば、ミストシャワーノズル付き配管１７０上のワンタッチカプラー１７１の近傍に、水の供給をＯＮ/ＯＦＦするための電磁弁（図示省略）を設けると共に、その電磁弁を動作させるために、リモコン装置２００側においてミストシャワーＯＮ／ＯＦＦボタン（図示省略）を設けても良い。この構成の場合、制御部は、送風機１１０の運転/停止ボタン２１１がＯＮ操作されて現に運転中であることを条件として、ミストシャワーＯＮ／ＯＦＦボタンのＯＮ操作を受け付けるものとする。これにより、送風機１１０が運転していないにも関わらず、ユーザーがミストシャワーＯＮ／ＯＦＦボタンのＯＮ操作した場合、制御部は、そのＯＮ操作を受け付けないので、ミストシャワーの単独運転は行えない。また、この構成の場合、ミストシャワー運転を、切りタイマーの設定時間と連動させる構成としても良い。即ち、送風機１１０が切りタイマーの設定時間により自動的にＯＦＦしたときは、制御部は、それに連動させて電磁弁を自動的に閉じて水の供給を停止させることで、ミストシャワーを停止させる構成としても良い。これにより、室内や掃き出し窓３６０へのミストシャワーの飛散を確実に防止出来る。更にまた、この構成の場合、リモコン装置２００において、ミストシャワーの単独運転を許可するボタンや、切りタイマーとの連動によるミストシャワーの自動停止機能の切りボタンを設けても良い。これにより、ミストシャワーの単独運転を許可したり、或いは、切りタイマーとの連動によるミストシャワーの自動停止機能を停止させたりすることが、ユーザーの意思で行えるので、制御の自由度が向上する。
【００７０】
また、上記実施の形態では、ベランダ取付用送風装置１、ベランダ取付用ミストシャワー付き送風装置２を、マンションのベランダに取り付ける場合について説明したが、これに限らず例えば、アパート、社宅、一戸建て住宅等、建物の種類に関わらずベランダが設けられているところであれば、どの様な建物のベランダにも取り付けることも可能であり、上記と同様の効果を発揮する。
【００７１】
また、上記実施の形態では、送風機１１０の送風ファン１１２は４枚羽根のプロペラファンである場合について説明したが、羽根の枚数はこれに限定されるものではない。また、送風機１１０のファンの種類もプロペラファンに限定されるものではない。
【００７２】
また、上記実施の形態では、取付ステー１４０の上端部１４１が、収納枠体１３０の外側に向けて折り曲げられている構成（図１（ｂ）、図１（ｃ）参照）について説明したが、これに限らず例えば、取付ステー１４０の上端部１４１が、収納枠体１３０の内側に向けて折り曲げられている構成であっても良い。
【産業上の利用可能性】
【００７３】
本発明のベランダ取付用送風装置によれば、洗濯物が乾き難い状況にあっても従来より短時間で洗濯物を乾かすことが出来るという効果を発揮し、例えば、ベランダ取付用送風装置や、ベランダ取付用ミストシャワー付き送風装置として有用である。
【符号の説明】
【００７４】
１    ベランダ取付用送風装置
２    ベランダ取付用ミストシャワー付き送風装置
１００  送風装置本体
１１０  送風機
１２０  送風機固定プレート
１３０  収納枠体
１４０  取付ステー
１７０  ミストシャワーノズル付き配管
１７２  ミストシャワーノズル
２００  リモコン装置
３００  ベランダ
３１０  天井部
３２０  床面
３３０  手すり壁
【図１】
2019017899.tif 000003
【図２】
2019017899.tif 000004
【図３】
2019017899.tif 000005
【図４】
2019017899.tif 000006